(57)【要約】【課題】本電流を流す前に漏電の有無を捕獲作業者等に感知させることで捕獲作業者等が本電流により感電することを防止すると共に、固定具により捕獲対象獣の動きを制限したことによって容易に失神させることができる通電装置及び通電方法を提供する。【解決手段】固定具Ｚにより動きが制限されたイノシシＸに対し、固定具ＺとイノシシＸの少なくとも一方に当接させる１又は複数の電極体１３、１３ａ、電極体１３、１３ａとイノシシＸを含む閉回路Ｃ内に供給する電流を、漏電の有無が感知可能な通電パターンに設定可能な判断部２２、及び閉回路Ｃ内への電流の入切操作を行う切替えスイッチ１１、１１ａを有する通電操作具と、閉回路Ｃへの電流を供給する電源部２０とを備える【選択図】図１
2018061490.tif 000002
【特許請求の範囲】
【請求項１】
固定具により動きが制限された捕獲対象獣に対し、前記固定具と捕獲対象獣の少なくとも一方に当接させる１又は複数の電極体、
該電極体と前記捕獲対象獣を含む閉回路内に供給する電流を、漏電の有無が感知可能な通電パターンに設定可能な電流制御部、及び
前記閉回路内への電流の入切操作を行う切替えスイッチを有する
通電操作具と、
前記閉回路への電流を供給する電流供給部とを備える
通電装置。
【請求項２】
前記通電パターンは、
断続的な予備電流を流して、漏電の有無が感知可能な予備通電ステップと、
所定時間電流を流さないようにして、前記予備通電ステップで漏電を感知した場合に退避時間を確保する無通電ステップと、
前記捕獲対象獣に連続した本電流を流す本通電ステップとを備える
請求項１に記載の通電装置。
【請求項３】
前記予備通電ステップは、
パルス電流制御を行う
請求項２に記載の通電装置。
【請求項４】
前記本通電ステップは、
連続通電時間が１〜１０秒間である
請求項２又は請求項３に記載の通電装置。
【請求項５】
前記電流制御部は、
前記切替スイッチを複数設ける場合、少なくとも１つの切替スイッチが切状態になると、前記閉回路内への電流供給を行わない電流制御構成を有する
請求項１、請求項２、請求項３又は請求項４に記載の通電装置。
【請求項６】
前記電流制御部は、
前記予備通電ステップ、無通電ステップ、本通電ステップの少なくとも一ステップにおいて、人間の声の周波数を検知すると、前記閉回路内への電流供給を行わない電流制御構成を有する
請求項２、請求項３、請求項４又は請求項５に記載の通電装置。
【請求項７】
前記予備通電ステップ、無通電ステップ、本通電ステップにおいて、作業手順を音声で知らせる請求項２、請求項３、請求項４、請求項５又は請求項６に記載の通電装置。
【請求項８】
固定具により捕獲対象獣の動きを制限する固定工程と、
該固定工程により動きが制限された捕獲対象獣もしくは前記固定具に、１又は複数の電極体を当接させて、該電極と前記捕獲対象獣を含む閉回路を形成する閉回路形成工程と、
該閉回路形成工程で形成された前記閉回路内に、切替えスイッチの入操作によって、所定の電流を供給可能な状態にする通電準備工程と、
電流制御部により漏電の有無が感知可能な通電パターンに設定された電流を、前記閉回路内に供給する電流供給工程とを備える
通電方法。
【請求項９】
前記通電パターンは、
断続的な予備電流を流して、漏電の有無が感知可能な予備通電ステップと、
所定時間電流を流さないようにして、前記予備電流ステップで漏電を感知した場合に退避時間を確保する無通電ステップと、
前記捕獲対象獣に連続した本電流を流す本通電ステップとを備える
請求項８に記載の通電方法。
【請求項１０】
前記電流制御部は、
前記切替スイッチを複数設ける場合、少なくとも１つの切替スイッチが切状態になると、前記閉回路内への電流供給を行わない電流制御構成を有する
請求項８または請求項９に記載の通電方法。
【請求項１１】
前記電流制御部は、
前記予備通電ステップ、無通電ステップ、本通電ステップの少なくとも一ステップにおいて、人間の声の周波数を検知すると、前記閉回路内への電流供給を行わない電流制御構成を有する
請求項８、請求項９または請求項１０に記載の通電方法。
【発明の詳細な説明】
【技術分野】
【０００１】
本発明は通電装置及び通電方法に関する。詳しくは、本電流を流す前に漏電の有無を捕獲作業者等に感知させることで捕獲作業者等が本電流により感電することを防止すると共に、固定具により捕獲対象獣の動きを制限したことによって容易に失神させることができる通電装置及び通電方法である。
【背景技術】
【０００２】
一般に捕獲された動物は、箱罠などに入れられた後も興奮し暴れるため、とめさし作業を行おうとしても容易に近づくことができず、また近づけたとしても噛みつきやツノによる攻撃を受ける場合が多い。このような攻撃を受けた捕獲作業者は大きな怪我を負うだけでなく、場合によっては命を落とすことさえあるので、捕獲作業は非常に危険な作業である。特に、近年では捕獲作業者の高齢化が進み、力によって捕獲対象獣を取押さえる行為や、危険を察知して迅速に身をかばう行為ができにくくなっている。
【０００３】
このため、例えば特許文献１に示すように、棒状に形成された電極棒を用いて電気的作用により野生動物類や猛禽類を屠殺する野生動物屠殺用具が考案されている。
この特許文献１に記載された野生動物屠殺用具は、棒状の電極を用いることで猛禽類に対しては距離を離して突き刺し、猛禽類に接近することなく屠殺することができるので、作業者の安全が保たれている。
【先行技術文献】
【特許文献】
【０００４】
【特許文献１】特許５６８７７５０号
【発明の概要】
【発明が解決しようとする課題】
【０００５】
しかし、特許文献１の野生動物屠殺用具は、人間が感電すると即死状態となる数百ｍＡ〜数Ａの大電流を流すため、漏電が生じていた場合には非常に危険である。そして、作業者自身あるいは周囲の人が不用意に檻に触れていた場合、あるいは地面が濡れていた場合には作業者等は感電する恐れがあるにもかかわらず、それを感知することができないので感電を防ぐ手立てがない。
即ち、作業者が操作を誤った場合や予測できない状況になった場合の、いわゆるフェイルセーフ機能が備えられておらず、依然として作業時の危険性は解消されていない。
【０００６】
本発明は以上の点に鑑みて創案されたものであり、本電流を流す前に漏電の有無を捕獲作業者等に感知させることで捕獲作業者等が本電流により感電することを防止すると共に、短時間で容易に捕獲対象獣を失神させることができる通電装置及び通電方法を提供することを目的とする。
【課題を解決するための手段】
【０００７】
上記課題を解決するために、本発明の通電装置は、固定具により動きが制限された捕獲対象獣に対し、前記固定具と捕獲対象獣の少なくとも一方に当接させる１又は複数の電極体、該電極体と前記捕獲対象獣を含む閉回路内に供給する電流を、漏電の有無が感知可能な通電パターンに設定可能な電流制御部、及び前記閉回路内への電流の入切操作を行う切替えスイッチを有する通電操作具と、前記閉回路への電流を供給する電流供給部とを備える。
【０００８】
そして、固定具により動きが制限された捕獲対象獣に対し、固定具と捕獲対象獣の少なくとも一方に当接させる１又は複数の電極体、電極体と捕獲対象獣を含む閉回路内に供給する電流を、漏電の有無が感知可能な通電パターンに設定可能な電流制御部、及び閉回路内への電流の入切操作を行う切替えスイッチを有する通電操作具によって、作業時に充分な安全性を確保することができる。すなわち、作業者自身あるいは周囲の人が不用意に檻に触れていた場合、あるいは地面が濡れていた場合には作業者等が感電する恐れがあっても、例えば、人体に影響のない程度の微弱電流を通電初期に流す等の通電パターンの電流を流すようにすることで、漏電していても軽い電気的刺激を受けるだけで済み、漏電を感知して退避する等の措置を取ることができる。
【０００９】
更に、閉回路への電流を供給する電流供給部によって、捕前述の電流制御部によって、大きさや通電パターンを適正化した電流を閉回路内に流すことができる。
【００１０】
また、通通電パターンが、断続的な予備電流を流して、漏電の有無が感知可能な予備通電ステップと、所定時間電流を流さないようにして、予備通電ステップで漏電を感知した場合に退避時間を確保する無通電ステップと、捕獲対象獣に連続した本電流を流す本通電ステップとを備える場合には、漏電していれば、予備通電ステップで、人体に影響のない程度の電気的刺激を受けるのみで漏電を感知し、無通電ステップで、退避する等の措置を取ることができる。そして、本通電ステップで、漏電していない場合に連続した本電流を流すようにして、捕獲対象獣に通電させることができる。
【００１１】
また、予備通電ステップが、パルス電流制御を行う場合には、短時間で間隔をおいて通電するため、身体に大きな負担をかけることなく、ある程度の大きさの電気的刺激を捕獲作業従事者に与えることができ、漏電の感知性を向上させることができる。
【００１２】
また、本通電ステップは、連続通電時間が１〜１０秒間である場合には、短い時間で捕獲対象獣を失神させることができるので、捕獲作業者の心理的負担が軽減される。
【００１３】
そして、本電流ステップが１秒間未満であると、短時間のため捕獲対象獣を失神させるもしくは死にいたらしめることができず、本電流ステップが１０秒間を超えて長くなると、捕獲対象獣が苦しむ姿を見続けなければならないため、捕獲作業者の精神的負担が大きいからである。
【００１４】
また、電流制御部は、切替スイッチを複数設ける場合、少なくとも１つの切替スイッチが切状態になると、閉回路内への電流供給を行わない電流制御構成を有する場合には、他のすべての切替えスイッチが入状態であっても非通電状態にすることができ、より安全性を高めることができる。
【００１５】
また、電流制御部は、予備通電ステップ、無通電ステップ、本通電ステップの少なくとも一ステップにおいて、人間の声の周波数を検知すると、閉回路内への電流供給を行わない電流制御構成を有する場合には、人が声を出して危険を知らせる行為により非通電状態にすることができるので、捕獲作業者の感電を防ぐことができ、あるいは感電したとしても通電を止めることで、作業者の安全を図ることができる。
【００１６】
また、予備通電ステップ、無通電ステップ、本通電ステップにおいて、作業手順を音声で知らせる場合には、操作ミスや確認のし忘れなどを防ぎ、マニュアルに従って安全に捕獲作業を行うことができるので、感電を防ぐことができる。
【００１７】
また、上記課題を解決するために、本発明の通電方法は、固定具により捕獲対象獣の動きを制限する固定工程と、固定工程により動きが制限された捕獲対象獣もしくは固定具に、１又は複数の電極体を当接させて、電極と捕獲対象獣を含む閉回路を形成する閉回路形成工程と、閉回路形成工程で形成された閉回路内に、切替えスイッチの入操作によって、所定の電流を供給可能な状態にする通電準備工程と、電流制御部により漏電の有無が感知可能な通電パターンに設定された電流を、閉回路内に供給する電流供給工程とを備える。
【００１８】
そして、固定具により捕獲対象獣の動きを制限する固定工程によって、捕獲対象獣の動きを制限し、捕獲作業者の安全を図ることができる。
【００１９】
固定工程により動きが制限された捕獲対象獣もしくは固定具に、１又は複数の電極体を当接させて、電極と捕獲対象獣を含む閉回路を形成する閉回路形成工程によって、捕獲対象獣に対して通電可能な閉回路を形成することができる。
【００２０】
閉回路形成工程で形成された閉回路内に、切替えスイッチの入操作によって、所定の電流を供給可能な状態にする通電準備工程によって、切り替えスイッチにより閉回路を通電可能にすることができる。
【００２１】
電流制御部により漏電の有無が感知可能な通電パターンに設定された電流を、閉回路内に供給する電流供給工程によって、作業時に充分な安全性を確保することができる。すなわち、作業者自身あるいは周囲の人が不用意に檻に触れていた場合、あるいは地面が濡れていた場合には作業者等が感電する恐れがあっても、例えば、人体に影響のない程度の微弱電流を通電初期に流す等の通電パターンの電流を流すようにすることで、漏電していても軽い電気的刺激を受けるだけで済み、漏電を感知して退避する等の措置を取ることができる。
【００２２】
また、通電パターンは、断続的な予備電流を流して、漏電の有無が感知可能な予備通電ステップと、所定時間電流を流さないようにして、予備電流ステップで漏電を感知した場合に退避時間を確保する無通電ステップと、捕獲対象獣に連続した本電流を流す本通電ステップとを備える場合には、漏電していれば、予備通電ステップで、人体に影響のない程度の電気的刺激を受けるのみで漏電を感知し、無通電ステップで、退避する等の措置を取ることができる。そして、本通電ステップで、漏電していない場合に連続した本電流を流すようにして、捕獲対象獣に通電させることができる。
【００２３】
また、電流制御部は、切替スイッチを複数設ける場合、少なくとも１つの切替スイッチが切状態になると、閉回路内への電流供給を行わない電流制御構成を有する場合には、他のすべての切替えスイッチが入状態であっても非通電状態にすることができ、より安全性を高めることができる。
【００２４】
また、電流制御部は、予備通電ステップ、無通電ステップ、本通電ステップの少なくとも一ステップにおいて、人間の声の周波数を検知すると、閉回路内への電流供給を行わない電流制御構成を有する場合には、人が声を出して危険を知らせる行為により非通電状態にすることができるので、捕獲作業者の感電を防ぐことができ、あるいは感電したとしても通電を止めることで作業者の安全を図ることができる。
【発明の効果】
【００２５】
本発明に係る通電装置及び通電方法は、本電流を流す前に漏電の有無を捕獲作業者等に感知させることで捕獲作業者等が本電流により感電することを防止すると共に、固定具により捕獲対象獣の動きを制限したことによって容易に失神させることができるものとなっている。
【図面の簡単な説明】
【００２６】
【図１】本発明に係る通電装置の、操作棒、接続コード、及びコントローラボックスをセットした状態を示す斜視説明図である。
【図２】電極体の拡大説明図である。
【図３】本発明に係る通電装置の実施の形態を示す、箱罠に入れられたイノシシが捕獲された状態を表す説明図である。
【図４】電流制御構成を示すブロック図である。
【図５】本発明に係る通電方法のフローチャートである。
【図６】電流制御のタイムチャートであって、図６（ａ）は、通常の電流制御を表し、図６（ｂ）は、本電流ステップの途中で切替スイッチがＯＦＦになった場合の電流制御を表したものである。
【発明を実施するための形態】
【００２７】
以下、本発明の通電装置及び通電方法について説明し、本発明の理解に供する。
【００２８】
まず、通電装置の一例である捕獲用通電装置Ａの概要構成について、図１、図２、図４により説明する。
通電操作具の一例であり、約１３０センチの長さを有する通電作業用棒体１及び１ａ、及び電流供給部を有するものの一例である操作ボックス２により構成される。
【００２９】
なお、通電作業用棒体１及び１ａの長さは１３０センチに限られるものではなく、他の長さに形成することも可能である。具体的には、山中で捕獲したイノシシを周囲の木に固定した場合、イノシシが暴れて大きく動きまわることがあり、このような場合では、例えば１８０センチの長さに形成された通電作業用棒体を使用することも考えられる。イノシシからの攻撃を避けるなどの安全性への配慮が充分に確保できる距離を保つことができるからである。
【００３０】
通電作業用棒体１、１ａは、この通電作業用棒体１、１ａの一端に設けられると共に、通電作業用棒体１、１ａを操作する際に把持する把持部１０、１０ａと、把持部１０、１０ａの中央寄りに設けられ、「ＯＮ」「ＯＦＦ」の操作を行う切替えスイッチ１１、１１ａと、切替えスイッチ１１、１１ａから他端部側に伸びた延設部１２、１２ａと、延設部１２、１２ａの他端側に設けられた電極体１３、１３ａとから構成されている。
【００３１】
捕獲用通電装置Ａには、切替えスイッチ１１、１１ａの双方が押されている場合に限り通電可能状態となり、いずれか片方のみが押されている場合、あるいは双方とも押されていない場合には、捕獲用通電装置Ａは無通電状態となる。
【００３２】
切替えスイッチ１１、１１ａの双方が押されている場合は、捕獲作業者が通電をしようとしている場合であると考えられ、いずれか片方のみが押されている場合は、例えば捕獲対象獣の攻撃から逃れている最中などにより、捕獲作業者が切替えスイッチ１１、１１ａを同時に押せない場合であると考えられ、いずれも押されていない場合は、捕獲作業者が捕獲用通電装置Ａに通電をしようとしていない場合と考えられるからである。
【００３３】
図１（ａ）に示すように、電極体１３、１３ａは、通電作業用棒体１、１ａの長手方向と同方向に伸びた主電極１３０，１３０ａを有する。主電極１３０，１３０ａの長さは、３０〜３５ミリ程度であり、先端は鋭利な形状に形成されているので、箱罠Ｙの隙間から差し込みやすい形状となっている。
【００３４】
この主電極１３０，１３０ａは、把持部１０、１０ａ、切替えスイッチ１１、１１ａ、延設部１２、１２ａの内部を貫通する、通電可能な通電用芯棒（図示せず）と電気的に接続されており、後述する操作ボックス２から供給されてきた電流は、通電用芯棒を通って電極体１３、１３ａに送られる。
【００３５】
なお、把持部１０、１０ａ、切替えスイッチ１１、１１ａ、延設部１２、１２ａは、絶縁体により被膜されているので、通電用芯棒を流れる電流が捕獲作業者側や箱罠Ｙに触れることで通電することを防ぐことができ、捕獲作業者等の作業中の安全を確保することができる。
【００３６】
なお、図１（ｂ）に示すように、電極体１３、１３ａを、通電作業用棒体１、１ａの長手方向と同方向に伸びた主電極１３０，１３０ａと、主電極１３０，１３０ａと延設部１２、１２ａの接続部から「Ｕ字」を逆さにしたフック状の形状を有すると共に、主電極１３０，１３０ａを挟むように設けられた二本の副電極１３１、１３１ａを設けた形状とすることもできる。
【００３７】
イノシシＸを、箱罠を用いずに、足くくり罠などを用いて固定具Ｚで周囲の木に固定させる場合などは、イノシシＸが暴れて固定具Ｚに連結されたワイヤＷが大きく動くため、ワイヤＷに電極体１３、１３ａを当接させることは難しい。このような場合に、図２に示すように、固定具Ｚに連結されたワイヤＷを主電極１３０，１３０ａと二本の副電極１３１、１３１ａに絡めて、電極体１３、１３ａとワイヤＷを当接させることができるので、より確実に通電させることができる。
【００３８】
このように、捕獲用通電装置Ａは、イノシシＸを箱罠Ｙに入れた場合と足くくり罠を用いた場合などのように、使用場面に応じて適切な形状の電極体１３、１３ａに取替えて使用することができる。
【００３９】
操作ボックス２には、電流供給部の一例である電源部２０、電源部２０からの出力電圧を昇圧する昇圧器２１、電流制御部の一例であり、切替えスイッチ１１、１１ａからの「ＯＮ」「ＯＦＦ」の状態に応じて昇圧器２１に出力電圧を昇圧させるもしくは低圧させるかの命令を出す判断部２２、及び操作の内容を逐次周囲に知らせるスピーカー２３が収容されている。また、操作ボックス２の外側には、本電流の通電時間や、スピーカー２３の音量などを設定する設定部２４が設けられている。なお、スピーカー２３は、操作ボックス２に複数増設してもよく、操作ボックス２の外部に周辺機器として外付けで操作ボックス２と接続することも可能である。
【００４０】
操作ボックス２と通電作業用棒体１及び１ａは、接続ケーブル３により電気的に接続され、操作ボックス２の電源部２０から供給され昇圧器２１により昇圧された電流は、接続ケーブル３を介して通電作業用棒体１及び１ａへ流れる。
【００４１】
次に、捕獲用通電装置Ａの通電方法を、図２乃至図６により説明する。
ここでは、捕獲され箱罠Ｙに入れられたイノシシを殺処分する場合の作業手順を例に挙げて説明する。
【００４２】
図２、図３に示すように、捕獲対象獣の一例であるイノシシＸは箱罠Ｙに入れられ、固定具Ｚで箱罠Ｙに固定されている。箱罠Ｙは、金属製網体を使用した檻状に形成されている。固定具Ｚは、本実施例のように、例えば、イノシシの鼻を縛って頭部の動きを制限する「鼻くくり」（登録商標）や、イノシシの脚の動きを制限する「チョン掛」（登録商標）や「足錠」などが考えられる。固定具Ｚは、イノシシＸの鼻や脚首に刺して固定させるものであり、内側に設けられた針の形状を有する突起部分がイノシシの鼻や脚に食い込むようにして動きを固定するので、固定具Ｚに通電作業用棒体１及び１ａを当接すると、容易に神経に通電することができる。
【００４３】
鼻くくり、チョン掛又は足錠には金属製のワイヤＷが取付けられており、ワイヤＷは、ナイロンロープＮなどの絶縁体を介して箱罠Ｙに取付けられている。これにより、ワイヤＷに通電作業用棒体１及び１ａを当接した場合、箱罠Ｙに通電することを防ぐことができる。
【００４４】
イノシシＸは、固定具Ｚで鼻をくくられて頭部の動きが制限され、チョン掛及び足錠により脚の動きが制限されるので、捕獲作業者に頭突きなど攻撃を加えることができない。なお、「噛みつき機」（登録商標）を用いると、より確実にイノシシＸの噛みつきを防ぐことができる。捕獲作業者は、これらの固定具を用いて、イノシシＸを箱罠Ｙに確実に固定し、可能な限り動きを制限する。
【００４５】
図２乃至図５に示すように、捕獲作業者は、箱罠Ｙに入れられたイノシシＸに近づき、電源部２０のスイッチ（図示せず）をＯＮにして（Ｓ１）、通電可能状態にする。そして、スピーカー２３より「電源が入りました。」というアナウンスが流れる（Ｓ２）。これにより、捕獲作業者及びその周囲の人は、捕獲用通電装置Ａが作動可能状態となったことを認識することができ、自らの安全確保のために必要な退避行動をとることができる。
【００４６】
なお、Ｓ２のアナウンスにおいて、例えば「マニュアルに従って、イノシシＸを動かないようにしっかりと固定してください。」などの作業の具体的な手順を含めることもできる。
【００４７】
そして、通電可能状態になったことにより、昇圧部２１、判断部２２、スピーカー２３、設定部２４が作動可能となる。このとき、設定部２４を操作して本電流の通電時間、スピーカー２３の音量、予備通電のパルスの間隔、及び周囲の声を検知する場合の受信感度などを設定する（Ｓ３）。本電流の通電時間については、例えば、１〜６秒間までの時間を１秒単位で設定でき、あるいは６秒以上流したい場合には「連続」を選択することで、切替えスイッチ１１、１１ａを押している限り本電流が流れるようにすることもできる。
【００４８】
大まかな目安であるが、３０ｋｇのイノシシであれば、本電流の通電時間が約５秒であれば失神させることができ、１００ｋｇのイノシシであれば、約１０秒で失神させることができる。
【００４９】
なお、捕獲したイノシシの肉を利活用しない場合（食用として利用しない場合）には、放血をせず埋設、焼却などの処理を行うため、１０秒間程度本電流を流しても良い。しかし、食用として利活用する場合には、品質を保つために、例えば２秒間程度の短い本電流を流して脳を停止させたところで、とめさしや血抜きなどの処理を行う必要がある。
即ち、本電流の通電時間は、イノシシの大きさだけでなく利活用するか否かによっても異なってくる。
【００５０】
続いて、捕獲作業者は通電作業用棒体１、１ａをそれぞれ左右の手に持ち、把持部１０、１０ａを把持する。そして、通電作業用棒体１、１ａの先端に設けられた電極体１３、１３ａをそれぞれワイヤＷに当接させる。このとき、ワイヤＷを経路の一部としてイノシシＸを含んだ閉回路Ｃが形成される。
【００５１】
なお、閉回路Ｃは、電極体１３、１３ａの主電極１３０，１３０ａをワイヤＷに当接させることで形成することに限るものではない。例えば、主電極１３０，１３０ａを捕獲対象獣の体表に直接当接させることも可能である。当接させる場所は耳の穴や太ももの内側、膝の裏側などに限られるものではなく、口や首、耳の穴、耳の後ろ、前脚首、後脚首などが考えられ、即ち、脂肪の層が薄くて、身体の表面に近い位置に神経が通っている箇所であれば良い。
【００５２】
このような場所に電流を流すことで、直接神経に電流を流すことができ、従来よりも短い時間内で動物を失神させることができる。又は、イノシシＸに装着された固定具Ｚに当接させることで、固定具Ｚの針部分がイノシシＸの体内に食い込んでいるので、容易に神経に電流を流すことができる。
【００５３】
その後、捕獲作業者は、通電作業用棒体１、１ａの切替えスイッチ１１、１１ａをそれぞれ左右の親指で押す。このとき、切替えスイッチ１１、１１ａの双方が押されたことを判断部２２で確認する（Ｓ４）と閉回路Ｃは通電可能状態となったと判断し、スピーカー２３より「予備通電を始めます。」もしくは「予備通電を始めるので、離れてください。」というアナウンスが流れる（Ｓ５）。このアナウンスにより、捕獲作業者及びその周囲の人は、今から予備通電が始まることを認識することができ、自らの安全確保のために必要な退避行動をとることができる。
【００５４】
なお、（Ｓ５）において、周囲に予備通電が始まることを知らせた後の予備電流が流れている間は、「ピピッ、ピピッ、ピピッ、・・・」という短い警報音をスピーカー２３から流すことで、「現在予備電流が流れている」ことを周囲に知らせることができる。
【００５５】
ここで、図６に示すように、予備電流は、１秒ごとに１００ミリ秒（ｍｓ）の長さの電流（以下、「パルス」という。）を二回流す通電パターンに設定されており、昇圧部２１から通電用芯棒を通って電極体１３、１３ａに送られる。なお、予備電流は、パルスを二回流す通電パターンに限られるものではなく、３回若しくはそれ以上、または１回のみであってもよい。
【００５６】
そして、予備電流のパルスは約５０ｍＡの電流が流れるが、捕獲作業者は閉回路Ｃ上には存在していないので、感電することはない。なお、予備電流の一回のパルスの長さは、１００ミリ秒（ｍｓ）に限られるものではなく、例えば５０ミリ秒などであってもよく、任意に設定することができる。
【００５７】
仮に、予備電流が閉回路Ｃ上を流れず漏電した場合には、捕獲作業者が閉回路Ｃと異なる閉回路上に存在する場合には感電するおそれがある。捕獲作業者が感電する場合とは捕獲作業者を含んだ閉回路が形成される場合であり、例えば、通電作業用棒体１、１ａが雨で濡れていたため電極体１３、１３ａから延設部１２、１２ａの表面を伝って把持部１０、１０ａに流れた場合や、通電作業用棒体１、１ａのいずれか一方が地面に落ち、他方の通電作業用棒体が箱罠Ｙに触れていた場合などが考えられる。
【００５８】
続いて、アナウンス（Ｓ５）の後、再度切替えスイッチ１１、１１ａの双方が押されたことを判断部２２で確認し（Ｓ６）、予備通電の一例である一回目のパルスが捕獲用通電装置Ａ１に１００ミリ秒間流れる（Ｓ７）。アナウンス（Ｓ５）している間に、切替えスイッチ１１、１１ａのいずれか一方がＯＦＦになる場合もありうることから、切替えスイッチ１１、１１ａの双方がＯＮになっていることを慎重に確認することにより、より安全に捕獲作業を行うことができるからである。
【００５９】
一回目のパルス（Ｓ６）の後、再度切替えスイッチ１１、１１ａの双方が押されたことを判断部２２で確認し（Ｓ８）、捕獲用通電装置Ａ１に二回目のパルスが１００ミリ秒間流れる（Ｓ９）。一回目のパルス（Ｓ７）を流した後に、切替えスイッチ１１、１１ａのいずれか一方がＯＦＦになる場合もありうることから、切替えスイッチ１１、１１ａの双方がＯＮになっていることを慎重に確認することにより、より安全に捕獲作業を行うことができるからである。
【００６０】
本実施例では、予備電流は、１秒ごとに１００ミリ秒（ｍｓ）の長さの電流を二回流す通電パターンであるので、捕獲作業者は、短い電気的刺激を１秒間隔で２回感じることになる。なお、１秒ごとに１００ミリ秒（ｍｓ）の長さのパルスを流す回数は、２回に限られるものではなく、任意に定めることができる。
【００６１】
通常、５０ｍＡの連続した電流が１秒間体内を流れると心室細動を起こして死に至るので非常に危険であるが、短い電気的刺激を２回感じる程度であるので、捕獲作業者は容易に通電作業用棒体１、１ａから手を離すことができる。
【００６２】
そして、通電作業用棒体１、１ａから手を離すことで切替えスイッチ１１、１１ａの双方もしくはいずれか一方がＯＦＦとなり、捕獲作業者を含む閉回路が形成されることはないので、閉回路に本電流が流れることなく無通電状態となり、捕獲従事者の安全を確保することができる。
【００６３】
その後、二回目のパルス（Ｓ９）の後、再度切替えスイッチ１１、１１ａの双方が押されたことを判断部２２で確認する（Ｓ１０）。二回目のパルス（Ｓ９）を流した後に、切替えスイッチ１１、１１ａのいずれか一方がＯＦＦになる場合もありうることから、切替えスイッチ１１、１１ａの双方がＯＮになっていることを慎重に確認することにより、より安全に捕獲作業を行うことができるからである。
【００６４】
この切替えスイッチ１１、１１ａの確認（Ｓ１０）後、判断部２２は、閉回路Ｃは通電可能状態となったと判断し、スピーカー２３より「本通電を始めます。」もしくは「本通電が始まるまでの２秒間は切替えスイッチを押しても電気は流れません。」というアナウンスが流れる（Ｓ１１）。
【００６５】
続いて、二秒間の無通電状態を経て（Ｓ１２）、本電流を流す（Ｓ１３）。この時の電流制御は図６（ａ）に示される。これにより、捕獲作業者及びその周囲の人は、今から本通電が始まることを認識することができ、自らの安全確保のために必要な退避行動をとることができる。特に、本通電が始まる前に約２秒間の無通電状態が設けられていることから、退避行動をとるための充分な時間を確保することができる。
【００６６】
なお、本電流を流している間は、予備電流を流す際の警報音とは異なる「ピッ、ピッ、ピッ、ピイー」という、最初は短い警報音を流し、最後は連続した警報音を流すことで周囲に「現在本電流が流れている」ことを知らせることができる。
【００６７】
本通電を流す時間は１〜１０秒間である。耳や口、足首などの表面付近に神経が通っており、かつ脂肪層が薄い場所を選んで本電流を流すことで、より確実に神経に電流を流すことができるので、短時間で失神させることができる。
【００６８】
仮に、本電流を流している途中で、何らかの理由でいずれかの切替スイッチがＯＦＦになった場合には、当初設定していた時間内であれば、図６（ｂ）に示すように、切替スイッチをＯＮにすることで再度本電流を流すことができる。
【００６９】
なお、失神しても数秒で意識が戻り再び暴れ出す危険性があるので、意識が戻る前にとめさしや血抜きなどの処理をする必要がある。この様に、本電流の通電時間を含めても約１０〜１５秒でとめさしなどの処理をすることができるので、捕獲作業者の精神的負担を軽減することが出来ると共に、安全に肉質のよいイノシシの肉を得ることができる。
【００７０】
また、イノシシの発する鳴き声の周波数と人間の声の周波数を予め設定部２４に記憶させておけば、人間の周波数を検知した場合（人間の声が発せられたことを検知した場合）には通電を強制的に停止させるなどの処置を取ることができる。なお、より安全性を高めるために、人間の声を検知した場合に限らず、イノシシ又は人間の声を検知した場合に強制的に停止させる処置を取ることも考えらえる。
【００７１】
即ち、捕獲作業者が通電作業用棒体１、１ａを用いてイノシシＸへの通電中に、なんらかの危険な事態（例えば、周囲の人が箱罠Ｙに触れた、イノシシＸを手で押さえようとするなど）になった場合、とっさに発せられる人間の「危ない」などの声を検知し通電を停止させることで、感電することを防ぐことができる。なお、捕獲作業者を中心として半径３〜５メートルの声を検知するように設定すれば、捕獲作業者及び周囲の人が危険を察知した場合の声を検知することができる。
【００７２】
このように、本発明に係る通電装置及び通電方法は、本電流を流す前に漏電の有無を捕獲作業者等に感知させることで捕獲作業者等が本電流により感電することを防止すると共に、固定具により捕獲対象獣の動きを制限したことによって容易に失神させることができるものとなっている。
【符号の説明】
【００７３】
１、１ａ  通電作業用棒体
１１、１１ａ  切替えスイッチ
１３、１３ａ  電極体
２０  電源部
Ｃ  閉回路
Ｘ  イノシシ
Ｚ  固定具
【図１】
2018061490.tif 000003
【図２】
2018061490.tif 000004
【図３】
2018061490.tif 000005
【図４】
2018061490.tif 000006
【図５】
2018061490.tif 000007
【図６】
2018061490.tif 000008
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
固定具により動きが制限された捕獲対象獣に対し、前記固定具と捕獲対象獣の少なくとも一方に当接させる１又は複数の電極体、
該電極体と前記捕獲対象獣を含む閉回路内に供給する電流を、漏電の有無が感知可能な、断続的通電を有する通電パターンに設定可能な電流制御部、及び
前記閉回路内への電流の入切操作を行う切替えスイッチを有する
通電操作具と、
前記閉回路への電流を供給する電流供給部とを備える
通電装置。
【請求項２】
前記通電パターンは、
断続的な予備電流を流して、漏電の有無が感知可能な予備通電ステップと、
所定時間電流を流さないようにして、前記予備通電ステップで漏電を感知した場合に退避時間を確保する無通電ステップと、
前記捕獲対象獣に連続した本電流を流す本通電ステップとを備える
請求項１に記載の通電装置。
【請求項３】
前記予備通電ステップは、
パルス電流制御を行う
請求項２に記載の通電装置。
【請求項４】
前記本通電ステップは、
連続通電時間が１〜１０秒間である
請求項２又は請求項３に記載の通電装置。
【請求項５】
前記電流制御部は、
前記切替スイッチを複数設けると共に、少なくとも１つの切替スイッチが切状態になると、前記閉回路内への電流供給を行わない電流制御構成を有する
請求項１、請求項２、請求項３又は請求項４に記載の通電装置。
【請求項６】
前記電流制御部は、
前記予備通電ステップ、無通電ステップ、本通電ステップの少なくとも一ステップにおいて、人間の声の周波数を検知すると、前記閉回路内への電流供給を行わない電流制御構成を有する
請求項２、請求項３、請求項４又は請求項５に記載の通電装置。
【請求項７】
前記予備通電ステップ、無通電ステップ、本通電ステップにおいて、作業手順を音声で知らせる請求項２、請求項３、請求項４、請求項５又は請求項６に記載の通電装置。
【請求項８】
固定具により捕獲対象獣の動きを制限する固定工程と、
該固定工程により動きが制限された捕獲対象獣もしくは前記固定具に、１又は複数の電極体を当接させて、該電極と前記捕獲対象獣を含む閉回路を形成する閉回路形成工程と、
該閉回路形成工程で形成された前記閉回路内に、切替えスイッチの入操作によって、所定の電流を供給可能な状態にする通電準備工程と、
電流制御部により漏電の有無が感知可能な、断続的通電を有する通電パターンに設定された電流を、前記閉回路内に供給する電流供給工程とを備える
通電方法。
【請求項９】
前記通電パターンは、
断続的な予備電流を流して、漏電の有無が感知可能な予備通電ステップと、
所定時間電流を流さないようにして、前記予備電流ステップで漏電を感知した場合に退避時間を確保する無通電ステップと、
前記捕獲対象獣に連続した本電流を流す本通電ステップとを備える
請求項８に記載の通電方法。
【請求項１０】
前記電流制御部は、
前記切替スイッチを複数設けると共に、少なくとも１つの切替スイッチが切状態になると、前記閉回路内への電流供給を行わない電流制御構成を有する
請求項８または請求項９に記載の通電方法。
【請求項１１】
前記電流制御部は、
前記予備通電ステップ、無通電ステップ、本通電ステップの少なくとも一ステップにおいて、人間の声の周波数を検知すると、前記閉回路内への電流供給を行わない電流制御構成を有する
請求項８、請求項９または請求項１０に記載の通電方法。